(57)【要約】【課題】  ソフトケースタイプの旅行用鞄において、開口部の開閉に用いられるファスナーが、エレメントの噛み合わせを外され、簡単に開けられて、収納した荷物を盗難されることがなく、さらに、ファスナーテープと鞄を構成する表裏生地との各端部をまとめ縫いした縫い代部を、体裁よく覆うための縁取りテープが、スライダーとの接触により擦り切れたり綻んだりすることのない鞄の提供。【解決手段】  本体開口部と該開口部を覆う蓋体との開閉がファスナーにより行われる鞄であって、ファスナーテープ６、７と本体２２または蓋体２１を構成する生地９、１０とを纏め縫いした縫い代部を覆うための縁取り部材１は、形状維持芯材４を装備した頭部２と前記縫い代部を覆う一対の帯状片部３、３とから成り、本体開口部または蓋体のいずれか一方の縁部に取り付けられ、ファスナーが閉じられたときには、ファスナーのエレメントの直下に近接配置されていることを特徴とする鞄。【選択図】  図２
2014027991.tif 000002
【特許請求の範囲】
【請求項１】
本体開口部と該開口部を覆う蓋体との開閉がファスナーにより行われる鞄において、ファスナーテープと本体または蓋体を構成する生地とを纏め縫いした縫い代部を覆うための縁取り部材は、形状維持芯材を装備した頭部と前記縫い代部を覆う一対の帯状片部とから成り、本体開口部または蓋体のいずれか一方の縁部に取り付けられ、ファスナーが閉じられたときには、ファスナーのエレメントの直下に近接配置されていることを特徴とする鞄。
【請求項２】
前記縁取り部材は蓋体の縁部に取り付けられていることを特徴とする請求項１に記載の鞄。
【請求項３】
前記縁取り部材は、頭部と一対の帯状片部とが押し出し成形により一体成形された軟質合成樹脂により構成されていることを特徴とする請求項１または２に記載の鞄。
【請求項４】
前記帯状片部の厚さが０．１５〜１．０ｍｍであることを特徴とする請求項３に記載の鞄。
【請求項５】
本体開口部と該開口部を覆う蓋体との開閉がファスナーにより行われる鞄の製造方法において、ファスナーテープと本体または蓋体を構成する生地とを纏め縫いした縫い代部を覆うための縁取り部材であって、形状維持芯材を装備した頭部と前記縫い代部を覆う一対の帯状片部とからなる縁取り部材を、本体開口部または蓋体のいずれか一方の縁部に取り付け、ファスナーが閉じられたときには、ファスナーのエレメントの直下に近接配置されるようにすることを特徴とする鞄の製造方法。
【発明の詳細な説明】
【技術分野】
【０００１】
本発明はスーツケース、キャリーバッグなどの旅行用鞄に関し、特に、本体と蓋体とを開閉するファスナーに盗難防止機能が付与された鞄に関する。
【背景技術】
【０００２】
スーツケース、キャリーバッグなどの旅行用鞄において、外装として布地やレザーなどの柔軟なシート素材の表生地を用いたソフトケースタイプの鞄が多く使われている。このタイプの鞄は、略直方体の本体とその一面に設けられた荷物出し入れ用開口部を覆う蓋体とからなり、本体と蓋体との開閉にはファスナーが用いられている。このファスナーはスライドファスナー、ジッパーとも称され、金属やプラスチックで作られたエレメント（務歯）を布地などのテープに装着し、スライダーと呼ばれる冶具にて、２本のテープに装着された各エレメントを噛み合わせたり、噛み合わせを外したりして、開閉を行うものである。
【０００３】
ファスナーによる蓋体の開閉は、作業が簡単で便利ではあるが、スライダーを閉止端に移動させてエレメントを噛み合わせ、スライダーを閉止端にロックして鞄を封止しても、エレメント部分に先の尖った道具（例えばドライバー、ボールペンなど）を強く押し当てて力を加えると、エレメントの噛み合わせが外れてファスナーの封止が解かれ、蓋体を開けることができ、収納した荷物が盗難されるなどの欠点がある。
【０００４】
また、ファスナーを本体や蓋体の周縁部に取り付けるには、ファスナーテープ、表生地、裏生地の各端部を纏め縫いして取り付けられるが、一般にこの纏め縫いした端部(縫い代部)を縁取りテープで覆って縁取りを行い、体裁よくまとめることが行われる。しかしながら、ファスナーの開閉を繰り返すうちに、スライダーと縁取りテープとが何度も接触し、最後には縁取りテープが擦り切れ綻んでしまう欠点もあった。
【０００５】
一方、ファスナーの欠点であるエレメントの噛み合わせが簡単に外され、鞄の内部に侵入されることを防ぐために、ファスナーの内側の一方に張出部を設け、他方には溝部を設けて、ファスナーを閉じた時にこの張出部と溝部とが係合する構造として、ファスナーがこじ開けられても侵入できないようにする鞄（特許文献１を参照）や、ファスナーの内側に近接して硬質部材を設けたスーツケース（特許文献２を参照）が提案されている。しかし前者の鞄ではファスナーにて閉じるときに、張出部と溝部とを合致させる必要があり、開閉に手間がかかり面倒であり、また開閉をスムーズに行うためには、本体と蓋体とを硬質の部材で構成し、開閉用ヒンジにも工夫が必要であり、鞄の形状に制限を受ける。後者に示された鞄においても、ファスナーに近接して設けられる硬質部材により開口部の形状が制限される。そのため、硬質部材が鞄を構成するシェルの縁部を延出させたものであっても、別体で形成したものであっても、いずれも開口部の形状に自由度がなくソフトケースタイプの鞄には不向きである。
【０００６】
また、特許文献３には、左右それぞれのエレメントに近接して左右の膨出部を設け、エレメントを噛み合わせてファスナーを閉じた時に、ファスナーの内側にて左右の膨出部が近接する構造のファスナーが示されている。このファスナーでは、膨出部が近接することにより、ファスナーの開閉がスムーズにでき、収納口の形状を維持するとともに、防水性を付与するものではあるが、前記したファスナーを無理にこじ開けることの防止にはならない。
【先行技術文献】
【特許文献】
【０００７】
【特許文献１】特表２００２−５０５１２６号公報
【特許文献２】登録実用新案第３１７５５５９号公報
【特許文献３】実開平１−６３４１１号公報
【発明の概要】
【発明が解決しようとする課題】
【０００８】
本発明の課題は、前記したようにソフトケースタイプの旅行用鞄において、開口部の開閉に用いられるファスナーが、エレメントの噛み合わせを外され、簡単に開けられて、収納した荷物を盗難されることがなく、さらに、ファスナーテープと鞄を構成する表裏生地との各端部をまとめ縫いした縫い代部を、体裁よく覆うための縁取りテープが、スライダーとの接触により擦り切れたり綻んだりすることのない鞄の提供である。
【課題を解決するための手段】
【０００９】
本発明が提供する鞄は、本体開口部と該開口部を覆う蓋体との開閉がファスナーにより行われる鞄であって、ファスナーテープと本体または蓋体を構成する生地とを纏め縫いした縫い代部を覆うための縁取り部材は、形状維持芯材を装備した頭部と前記縫い代部を覆う一対の帯状片部とから成り、本体開口部または蓋体のいずれか一方の縁部に取り付けられ、ファスナーが閉じられたときには、ファスナーのエレメントの直下に近接配置されていることを特徴とする。特に、前記縁取り部材が蓋体の縁部に取り付けられている鞄が好ましい。
【００１０】
そして、前記縁取り部材は、頭部と一対の帯状片部とが押し出し成形により一体成形された軟質合成樹脂により構成されており、特に、帯状片部の厚さが０．１５〜１．０ｍｍであることが好ましい。
【００１１】
また、本体開口部と該開口部を覆う蓋体との開閉がファスナーにより行われる鞄の製造方法において、ファスナーテープと本体または蓋体を構成する生地とを纏め縫いした縫い代部を覆うための縁取り部材であって、形状維持芯材を装備した頭部と前記縫い代部を覆う一対の帯状片部とから成る縁取り部材を、本体開口部または蓋体のいずれか一方の縁部に取り付け、ファスナーが閉じられたときには、ファスナーのエレメントの直下に近接配置されるようにすることを特徴とする鞄の製造方法も提供する。
【発明の効果】
【００１２】
本発明の鞄は、ファスナーが閉じられたときには、形状維持芯材を装備した縁取り部材はエレメントの直下に近接配置されているため、このエレメント部分に先の尖った道具を強く押し当てて力を加えても、縁取り部材で支えられて、エレメントの噛み合わせが簡単に外されることがなく、収納した荷物が盗難されることを防ぐことができる。
【００１３】
また、前記縁取り部材が蓋体の縁部に取り付けられている場合は、エレメントの噛み合わせが外されるのをより効果的に防ぐことができると共に、取り付けたファスナーの隣接部を体裁よく仕上げることができ、
【００１４】
さらに、縁取り部材として、通常用いられる布テープや薄い合成樹脂テープなどからなる縁取りテープに替えて、厚さのある軟質合成樹脂の成形シートとした場合には、スライダーと接触を繰り返しても、擦り切れたり綻んだりすることがなく、スライダーの操作も容易に行うことができる。
【図面の簡単な説明】
【００１５】
【図１】本発明に用いられる縁取り部材の断面説明図と取り付け説明図。
【図２】キャリーバッグを実施例とした説明図。
【図３】他の形態のキャリーバッグに適用した実施例の説明図。
【図４】本発明の鞄でエレメントがこじ開けられるのを防止する作用機構の説明図。
【図５】従来の鞄において、エレメントがこじ開けられる機構の説明図。
【発明を実施するための形態】
【００１６】
以下、本発明の実施の形態について図に基づき詳細に説明する。
【００１７】
図１の（１ａ）は本発明において用いられる縁取り部材１の断面説明図であり、（１ｂ）と（１ｃ）は本体または蓋体の端部に縁取り部材１を取り付けた断面説明図である。（１ａ）に示す縁取り部材１は断面形状が略円形の中空部を有する頭部２と一対の帯状片部３、３とからなっており、頭部２の中空部には（１ｂ）または（１ｃ）に示すように形状維持芯材４が挿入され装備されている。（１ｂ）に示すように、本体や蓋体を構成する生地である表生地(外装材)９と裏生地(内装材)１０、およびファスナーテープ６を、外観を見栄えをよく整えるために、一般のバッグ類に用いられる玉縁材１１の帯状片部１３と共に一対の帯状片部３、３で覆って、縫製部５にて纏め縫いを行い、形状維持芯材４が装備された縁取り部材１を本体開口部または蓋体のいずれか一方の縁部に取り付ける。そして、（１ｃ）に示すように、縫い付けたファスナーテープ６の他方のファスナーテープ７を引っ張り、生地が延びきった状態でも、閉じられたエレメント８が縁取り部材１の頭部２より先に出ないように調整し、形状維持芯材４が装備された縁取り部材１を閉じられたエレメント８の直下に近接配置されるようにして取り付ける。形状維持芯材４が装備された縁取り部材１がファスナーテープ６と共に、蓋体の縁部に取り付けられたときには、他方のファスナーテープ７は本体開口部の縁部に縫い付けられ、ファスナーが蓋体と本体開口部の開閉を担う。縁取り部材１が本体開口部に取り付けられた場合は、その逆となる。
【００１８】
図1に示した縁取り部材１は、頭部２と一対の帯状片部３、３とを押し出し成形により一体成形して製作した軟質合成樹脂からなっている。そして、頭部の中空部には形状維持芯材４として鋼線が挿入されている。縁取り部材はこのような形態に限定されることはなく、形状維持芯材を装備した頭部とファスナーテープや生地の端部の縫い代部を覆う帯状片部とを備えておればよく、布テープや樹脂テープを使用して形状保持芯材を包埋して頭部とし、テープの残余の部分を一対の帯状片部として製作したものでもよい。しかし、軟質合成樹脂を用いて、押し出し成形などにより成形して厚さのある樹脂シートとした場合には、前述したようにスライダーと接触を繰り返しても、擦り切れたり綻んだりすることがなく、好ましい形態である。縁取り部材は図1に示したように、頭部に中空部を設けて、その中空部に形状維持芯材を挿入し装備してもよいし、縁取り部材の成形にあたって、形状保持芯材を共押し出し成形によって、装備してもよい。
【００１９】
形状維持芯材としては、鋼線以外にも硬質で強度のある剛性材料であれば用いることができる。例えば、ステンレス鋼、アルミニウム、チタン、銅、黄銅などの金属材料や、ＰＣ（ポリカーボネート）、ＰＰ（ポリプロピレン）、ポリアミド樹脂（ナイロン）、ＰＰＳ（ポリフェニレンサルファイド）、ＰＯＭ（ポリオキシメチレン）などの熱可塑性樹脂の他、繊維強化プラスチック材料（ＦＲＰ）、カーボンファイバー強化プラスチック材料（ＣＦＲＰ）などの硬質プラスチック材料が好ましく用いられ、これらの金属材料やプラスチック材料を線状または棒状に加工したものを用いることができる。
【００２０】
また、形状保持芯材を装備し、本体や蓋体を構成する生地とファスナーテープとの縫い代部を覆うための帯状片部を構成するための軟質合成樹脂としては、軟質ポリ塩化ビニル、ポリエチレン、ＥＶＡ（エチレン酢酸ビニル共重合体）、ポリウレタン、合成ゴム、シリコーン樹脂などを用いることができる。これらの軟質合成樹脂を用いて、上記の形状維持芯材と共に共押し出し成形するか、または頭部に中空部を設けた形状に押し出し成形して、成形後に形状維持芯材を挿入して、装備することでもよい。一対の帯状片部のそれぞれの厚さは特に限定はされないが、纏め縫いの作業のし易さとスライダーとの接触に対する耐久性のバランスより、０．１５〜１．０ｍｍであることが好ましい。
【００２１】
図２および図３にキャリーバッグに応用した実施例の外観斜視図（左上方）と該斜視図の線Ａ−Ａにおけるファスナーの取り付け構造の断面斜視説明図（右下方）を示す。図２に示した実施例では、キャリーバッグ２０はその本体２２の一面に、その面よりやや小さい蓋体２１を取り付けた例を示し、ファスナーのエレメント８の噛み合いをスライダーで外したり、噛み合わせたりすることで、蓋体２１の開閉を行うことができる。図３に示した実施例では、キャリーバッグ２３はその本体２２の一面に、その面と同じ大きさの蓋体２１を取り付けた例を示している。
【００２２】
図２の右下方に示した断面斜視説明図にて、ファスナーの取り付け構造を説明する。ファスナーのエレメント８を保持する一対のファスナーテープ６、７のうち一方の側のファスナーテープ６を蓋体２１の縁部に取り付け、他方の側のファスナーテープ７を本体２２の縁部に取り付けている。蓋体２１の縁部にて、蓋体２１の表生地（外装材）９と裏生地(内装材)１０およびファスナーテープ６の縁部は、縁取り部材１の帯状片部３で覆われて、縫製部５にて纏め縫いされている。この実施例では、さらに玉縁材１１も併せて纏め縫いされており、縫い目が玉縁材１１の頭部１２にて覆われ、外観が見栄えよく整えられている。縁取り部材１の頭部２には、形状保持芯材４が挿入装備されている。そして、本体２２の縁部にて、本体２２の表生地（外装材）９と裏生地(内装材)１０およびファスナーテープ７の縁部は縁取りテープ１４で覆い、縫製部５にて纏め縫いされている。そして、前記したようにエレメント８が縁取り部材１の頭部２を越して本体側に近づくことのないように位置を調整し、縁取り部材１はエレメント８の直下に配置されている。
【００２３】
図３の右下方に示した断面斜視説明図のファスナー取り付け構造は、蓋体２１の縁部では、図２で示したものと同じ構造である。本体２２の縁部では、本体２２の表生地（外装材）９と裏生地(内装材)１０との間にファスナーテープ７を挟み込み、縫製部５にて纏め縫いをしている。この縁部での纏め縫い方法は特に限定はなく、ファスナーテープ７がしっかりと固定されればよく、さらに図２と同様に、エレメント８が縁取り部材１の頭部２を越して、本体側に近づかないように位置が調整されておればよい。この例においても、本体２２の縁部でのエレメント７の縫い付けに際して、玉縁材や縁取りテープを併用することができる。
【００２４】
図４は、本発明の鞄においてエレメントがこじ開けられるのを防止する作用機構を説明するもので、図５の従来の鞄においてエレメントがこじ開けられる作用機構と比較しながら、以下説明する。従来の鞄における図５に示すファスナーの取り付け構造では、鞄の蓋体２１の端部にて、ファスナーテープ６は玉縁材１１と共に縁取りテープ１４で覆われ纏め縫いされている。そして、鞄の本体２２の端部にてファスナーテープ７が縁取りテープ１４で覆われ纏め縫いされている。そして、玉縁材１１の頭部には鋼線などの芯材１５が、通常挿入装備されている。（５ａ）に示すように、ファスナーテープ６、７にて保持されているエレメント８の中央に先の尖った道具３０を押し当てて力を加えると、（５ｂ）に示すように鞄の本体２２と芯材１５が挿入された玉縁材１１の頭部でファスナーテープ６、７を支えることになり、エレメント８のみが押し下げられて、エレメント８に対して左右に開く力が発生する。そして、道具３０の尖った先が、エレメント８を開くきっかけとなるポイントとなり、（５ｃ）に示すように、エレメントはエレメント８´と８´´とにこじ開けられてしまう。
【００２５】
これに対して、図４におけるファスナーの取り付け構造は、図２に示した実施例の構造であり、（４ａ）に示されるように、エレメント８は鋼線などの形状維持芯材４を挿入された頭部２を乗り越えて、本体側に近づかないように位置調整されている。（４ａ）において、エレメント８に先の尖った道具３０を押し当てて力を加えた場合、形状保持芯材４は剛性材料からなっているため変形することがなく、エレメント８が支えられ、エレメントを開くきっかけとなるポイントができず、またエレメントを左右に開く力が働かず、エレメントのこじ開けが防止される。また、玉縁材１１の頭部１２に鋼線などの芯材が挿入装備されていない場合は、（４ｂ）に示すように、玉縁材１１の頭部１２が下方に押し下げられるが、その場合でも、形状維持芯材４が挿入装備された縁取り部材１の頭部２は変形することがなく、ここを支点としてエレメント８が斜めになり、道具３０がエレメント８の上で滑って、開くきっかけとなるポイントができず、エレメントをこじ開けることができない。また、玉縁材１１の頭部１２に鋼線などの芯材が挿入されている場合には、（４ｃ）に示すように、形状維持芯材４が挿入装備された縁取り部材１の頭部２と玉縁材１１の頭部１２とにより、エレメント８が支えられて、道具３０を押し付けても、同様にエレメント８の噛み合いを外すことができない。
【００２６】
以上、ファスナーテープと本体または蓋体を構成する生地とを纏め縫いした縫い代部を覆うための縁取り部材は、蓋体の縁部に取り付けた例を示したが、上記した方法にて、この縁取り部材を本体の縁部に取り付けても同様な作用効果が得られることは容易に理解できるとものである。
【００２７】
本発明の鞄に用いられるファスナーとしては、通常の金属材料やプラスチック材料からなるエレメントを布地製のファスナーテープに取り付けた通常用いられるファスナーを用いることができ、特に制限はない。
【符号の説明】
【００２８】
１    縁取り部材
２    頭部
３    帯状片部
４    形状維持芯材
５    縫製部
６、７    ファスナーテープ
８    エレメント
９    表生地(外装材)
１０    裏生地(内装材)
１１    玉縁材
１２    頭部（玉縁材）
１３    帯状片部（玉縁材）
１４    縁取りテープ
１５    鋼線
２０、２３    キャリーバッグ
２１    蓋体
２２    本体
３０    工具
【図１】
2014027991.tif 000003
【図２】
2014027991.tif 000004
【図３】
2014027991.tif 000005
【図４】
2014027991.tif 000006
【図５】
2014027991.tif 000007